(57)【要約】【課題】ユーザ端末に対して快適な情報配信が可能なエージェント機能を有するシステムおよびエージェントを提供する。【解決手段】端末６０からの検索要求に応じて情報配信サーバ２０から情報を取得して配信情報メモリ１０５に格納する。端末の位置および状態を位置管理サーバ３０およびプレゼンスサーバ４０によりモニタし、端末６０の受信環境に応じて、格納された情報をフィルタ１０６によりフィルタリングする。フィルタリングされた情報を配信情報として対応する端末６０へ配信する。【選択図】      図２
2004227113.tif 000002
【特許請求の範囲】
【請求項１】
端末からの要求に応じて、サーバから受信した情報を前記端末へ配信するシステムにおいて、
前記端末の受信環境をモニタするモニタ手段と、
前記端末からの検索要求に応じて前記サーバから情報を取得して格納する配信情報格納手段と、
前記端末の受信環境に応じて前記配信情報格納手段に格納された情報をフィルタリングするフィルタ手段と、
を有し、前記フィルタ手段から出力された情報を配信情報として前記端末へ配信することを特徴とする情報配信サービスシステム。
【請求項２】
前記モニタ手段は、
前記端末の位置を管理する位置管理手段と、
前記端末の現在の状態を管理する状態管理手段と、
を有することを特徴とする請求項１記載の情報配信サービスシステム。
【請求項３】
前記端末の受信環境は、前記端末のオン／オフ状態、前記端末の位置、前記端末の受信インタフェース、および、前記端末で使用可能なアプリケーションから選択された少なくとも１つ情報からなることを特徴とする請求項１記載の情報配信サービスシステム。
【請求項４】
前記端末からの検索要求に前記端末の受信条件が含まれている場合、前記フィルタ手段は、前記受信条件により前記サーバから取得した情報を更にフィルタリングすることを特徴とする請求項１ないし３のいずれかに記載の情報配信サービスシステム。
【請求項５】
前記受信条件はデータサイズであることを特徴とする請求項４記載の情報配信サービスシステム。
【請求項６】
端末からの要求に応じて、サーバから受信した情報を前記端末へ配信する方法において、
前記端末の受信環境をモニタし、
前記端末から検索キー情報を受信し、
前記検索キー情報に含まれる検索キーを用いて前記サーバから情報を取得して格納し、
前記端末の受信環境に応じて前記格納された情報をフィルタリングし、
前記フィルタリングされた情報を前記端末へ配信する、
ことを特徴とする情報配信方法。
【請求項７】
複数のアクセスポイントを有するネットワークに接続され、任意のアクセスポイントを通して接続した端末からの検索要求に応じてサーバから受信した情報を当該端末へ配信するエージェントにおいて、
前記端末の受信環境をモニタするモニタ手段と、
前記端末からの検索要求に応じて前記サーバから情報を取得して格納する配信情報格納手段と、
前記端末の受信環境に応じて前記配信情報格納手段に格納された情報をフィルタリングするフィルタ手段と、
を有し、前記フィルタ手段から出力された情報を配信情報として前記端末へ配信することを特徴とするエージェント。
【請求項８】
前記モニタ手段は、
前記端末の位置を管理する位置管理サーバと前記端末の現在の状態を管理する状態管理サーバとにアクセスして前記端末の受信環境を取得することを特徴とする請求項７記載のエージェント。
【請求項９】
コンピュータに、端末からの検索要求に応じてサーバから受信した情報を当該端末へ配信するエージェント機能を実現させるためのプログラムにおいて、
前記端末の受信環境をモニタするステップと、
前記端末から検索キー情報を受信するステップと、
前記検索キー情報に含まれる検索キーを用いて前記サーバから情報を取得して格納するステップと、
前記端末の受信環境に応じて前記格納された情報をフィルタリングするステップと、
前記フィルタリングされた情報を前記端末へ配信するステップと、
を有することを特徴とするプログラム。
【発明の詳細な説明】
【０００１】
【発明の属する技術分野】
本発明はネットワーク上の様々な情報をエージェントを介してユーザに配信するシステムに係り、特にそのエージェント機能の改良に関する。
【０００２】
【従来の技術】
インターネット上の膨大な情報からユーザの要求にマッチした情報を提供する検索エンジンは、今日では必要不可欠となっている。しかしながら、従来の検索エンジンでは、ユーザが入力したキーワードにマッチする情報を抽出して提供するだけであるために、ユーザにとって不必要な情報あるいはユーザ端末で閲覧できない情報までも提供されてしまう。たとえば、現在のユーザ位置から地理的に離れた場所の情報であるために役に立たない、また、ユーザ端末にその情報を閲覧するためのアプリケーションがインストールされていないといった場合である。
【０００３】
このような不必要な情報の提供を抑制するための技術が種々提案されている。たとえば、特開平９−１３４３６７号公報に開示されたマルチメディアデータ処理システムでは、ユーザが取得したいデータの範囲を示す情報（アドレス、時間、バイト数など）を生成してサーバ側へ送信し、その情報に従ってサーバあるいは中継サーバがデータ抽出を行い、抽出されたデータをユーザへ送信する。
【０００４】
また、特開２０００−２０７３１４号公報に開示された情報提供システムでは、ＧＰＳ受信機を有する端末がその位置情報を含む検索条件をサーバシステムへ送信し、サーバシステムは端末位置情報をキーとしてデータベースを検索し、端末の位置する場所に関連した情報を当該端末へ送信する。
【０００５】
【特許文献１】
特開平９−１３４３６７号公報（段落番号００１８〜００１９、００３４〜００３５、図２および図９）
【特許文献２】
特開２０００−２０７３１４号公報（段落番号００２１〜００２５）。
【０００６】
【発明が解決しようとする課題】
しかしながら、インターネット上には様々な情報が存在しており、特に最近ではブロードバンド環境を意識したマルチメディアサービスやマルチメディア情報が多々存在する。また、ユーザは、パーソナルコンピュータだけでなく、携帯電話やＰＤＡ等の情報通信端末をその時々の環境に応じて使い分ける傾向にある。このために、同じユーザであっても、状況によって受信情報を閲覧するアプリケーションが異なったり、アクセス回線速度が異なる場合がしばしば起こりうる。特に、ブロードバンド環境を前提としたマルチメディア情報の場合には、データサイズが大きすぎてユーザ端末の回線速度では快適な受信ができないこともある。言い換えれば、サービスや情報を快適に利用するためには、端末の受信条件を考慮することが必要になってくる。
【０００７】
このような状況に対して、上記従来のシステムでは十分に対処することができない。たとえば、特許文献１に開示されたシステムでは、ユーザがディスプレイ等の条件に従って抽出すべき画像の範囲などを入力する必要があり、極めて煩雑で不便なシステムとなっている。
【０００８】
また、特許文献２に開示されたシステムでは、端末の位置に関連する情報を自動的に取得できるが、端末のハードウエア及びソフトウエアや現在の端末状況などを考慮しておらず、様々なサービスや情報を快適に利用することができない。
【０００９】
そこで、本発明の目的は、ユーザ端末に対して快適な情報配信が可能なエージェント機能を有するシステム、そのエージェント、および、エージェントによる情報配信方法を提供することにある。
【００１０】
【課題を解決するための手段】
本発明による情報配信サービスシステムは、端末からの要求に応じてサーバから受信した情報を前記端末へ配信するシステムにおいて、前記端末の受信環境をモニタするモニタ手段と、前記端末からの検索要求に応じて前記サーバから情報を取得して格納する配信情報格納手段と、前記端末の受信環境に応じて前記配信情報格納手段に格納された情報をフィルタリングするフィルタ手段と、を有し、前記フィルタ手段から出力された情報を配信情報として前記端末へ配信することを特徴とする。前記モニタ手段は、望ましくは、前記端末の位置を管理する位置管理手段と前記端末の現在の状態を管理する状態管理手段とを有する。
【００１１】
前記端末の受信環境は、前記端末のオン／オフ状態、前記端末の位置、前記端末の受信インタフェース、および、前記端末で使用可能なアプリケーションから選択された少なくとも１つ情報からなることを特徴とする。
【００１２】
前記端末からの検索要求に端末の受信条件が含まれている場合、前記サーバから取得した情報は、前記受信条件により更にフィルタリングされることを特徴とする。受信条件は望ましくはデータサイズである。
【００１３】
【発明の実施の形態】
図１は本発明の一実施形態による情報配信システムの概略的構成図である。本実施形態による情報配信システムにおいて、エージェント（Ａｇｅｎｔ）１０、情報配信サーバ２０、位置管理サーバ３０およびプレゼンスサーバ４０はネットワークに接続され、ユーザ端末６０は複数のアクセスポイント（ＡＰ）５０の任意の１つを通して当該ネットワークに接続可能である。
【００１４】
エージェント１０は、ネットワークに接続したコンピュータであってもよいし、上記サーバあるいは別のサーバ上にソフトウエアによりインプリメントされたものであってもよい。いずれにしても、エージェント１０は、情報配信サーバ２０からの配信情報をユーザの希望及び端末６０の受信環境に応じてフィルタリングし、適切な情報だけを端末６０へ送信する機能を有する。端末６０の受信環境は、位置管理サーバ３０およびプレゼンスサーバ４０によってモニタされており、必要に応じて端末からの受信条件を含む。
【００１５】
情報配信サーバ２０は、映像情報や買い物情報などの情報を検索可能に保持するデータベースを有し、後述するように、キーワードにマッチした情報を検索してユーザに提供することができる。
【００１６】
位置管理サーバ３０は、複数の端末のそれぞれの位置情報を格納した位置データベースを有し、各端末の現在位置を常時管理している。位置情報は、各端末が位置する経度および緯度あるいは各端末が接続しているアクセスポイント番号、および、それらに対応する住所（たとえば、「ｘｘ市ｙｙ区」）などである。各端末はユニークな識別子（たとえば、電話番号やＩＰアドレスなど）によって識別される。したがって、端末の識別子をキーにして、当該端末の現在位置を検索することができる。
【００１７】
プレゼンスサーバ４０は、各端末の現在の状態（ＯＮ／ＯＦＦ状態、使用しているアクセス手段など）を示す情報を保持して管理する状態管理サーバである。位置管理サーバ３０と同様に、端末の識別子をキーにして、当該端末の現在の状態を検索することができる。
【００１８】
ユーザ端末６０は、パーソナルコンピュータ、ＰＤＡ等の携帯情報端末あるいは携帯電話などである。周知のように、端末６０には、キーパッド等の入力装置、ＬＣＤ等の表示装置、プロセッサやメモリなどが設けられ、その他必要なソフトウエアがインストールされている。ユーザ端末６０には、自らの位置を特定する手段（たとえば、ＧＰＳ受信機）を設けてもよい。ＧＰＳを利用した端末６０では、アクセスポイントを基準にした位置特定より更に正確な位置特定が可能である。
【００１９】
図２は本発明によるエージェントの一実施形態を示す機能ブロック図である。ここでは、エージェント１０がネットワークに接続されたコンピュータにより実現されている。エージェント１０は、ネットワークに接続するための送受信器１０１、通信制御部１０２、エージェント制御部１０３、検索キー情報メモリ１０４、配信情報メモリ１０５及びフィルタ１０６からなる。エージェント制御部１０３は、検索キー情報メモリ１０４、配信情報メモリ１０５およびフィルタ１０６を制御し、後述するエージェント機能を実行する。
【００２０】
検索キー情報メモリ１０４は端末６０から受信した検索キー情報を格納する。配信情報メモリ１０５は情報配信サーバ２０から受信した映像情報や買い物情報などの情報を格納する。フィルタ１０６は、位置管理サーバ３０から受信した端末位置情報、プレゼンスサーバ４０から受信したプレゼンス情報および検索キー情報メモリ１０４から入力した受信条件を用いて、配信情報メモリ１０５に格納された情報から適切な情報のみを通過させ、端末６０へ配信すべき情報を出力する。なお、フィルタ１０６はソフトウエアにより実現可能である。
【００２１】
システム動作
図３は本実施形態による情報配信システムの全体的動作を示すシーケンス図である。端末６０に位置特定手段が設けられている場合は、経度および緯度等の位置情報が端末識別子とともに位置管理サーバ３０へ送信され登録される（Ｓ１）。端末６０が現在接続しているアクセスポイントを用いて位置特定を行う場合には、アクセスポイント番号が位置情報として、端末識別子とともに、位置管理サーバ３０へ送信され登録される。
【００２２】
さらに、端末６０は、現在使用中のインタフェース種別と端末６０で使用可能なアプリケーション情報とからなるプレゼンス情報を生成し、このプレゼンス情報が端末識別子とともにプレゼンスサーバ４０へ送信され登録される（Ｓ２）。
【００２３】
端末６０のキーパッド等を用いてユーザが検索キーおよび必要な受信条件を入力すると、これらの情報と入力時間情報とが検索キー情報としてエージェント１０へ送信される（Ｓ３）。エージェント１０は、検索キー情報のうち配信情報を検索するための検索キーを情報配信サーバ２０へ送信する（Ｓ４）。
【００２４】
情報配信サーバ２０は、受信した検索キーを用いてデータベースを検索し（Ｓ５）、ヒットした情報あるいはヒットしなかった旨を検索結果としてエージェント１０に返す（Ｓ６）。エージェント１０は、情報配信サーバ２０から受信した配信情報を格納した後、位置管理サーバ３およびプレゼンスサーバ４０へ端末６０の識別子を含む情報要求信号をそれぞれ送信する（Ｓ７、Ｓ８）。位置管理サーバ３は、端末識別子をキーとして位置データベースを検索し、当該端末の位置情報をエージェントに返す（Ｓ９）。プレゼンスサーバ４０は、端末識別子をキーとしてデータベースを検索し、当該端末のプレゼンス情報をエージェント１０に返す（Ｓ１０）。
【００２５】
エージェント１０は、位置管理サーバ３０から受信した端末位置情報、プレゼンスサーバ４０から受信したプレゼンス情報、および、必要な受信条件からなる受信環境情報を用いて、格納された配信情報をフィルタリングし（Ｓ１１）、適切な情報のみを端末６０へ配信する（Ｓ１２）。こうして、端末６０は、情報配信サーバ２０で検索された情報を直接受信するのではなく、キーワードおよび条件にマッチした情報のみをエージェント１０を介して受信するために、ユーザは端末６０を通して快適に情報を閲覧することができる。以下、端末６０の動作およびエージェント１０の動作をさらに詳細に説明する。
【００２６】
端末の動作
図４は本実施形態による情報配信システムにおけるユーザ端末の制御動作を示すフローチャートである。
【００２７】
ユーザは、端末６０のキーパッド等を用いて、ユーザ自身の趣味や嗜好などのキーワードを入力する（ステップＳ４０１）。たとえば、趣味が釣りであればキーワードとして「釣り」を入力し、観たい映画の予告映像がほしい場合には、この映画のタイトル名をキーワードとして入力する。
【００２８】
続いて、ユーザは、検索されて配信される情報の受信条件を入力する（ステップＳ４０２）。受信条件は、ユーザの受信場所および受信インタフェースを含む。受信場所の入力では、たとえば「ｘｘ市」といった住所情報を入力する。受信インタフェースの入力では、たとえば、アナログモデム、ＩＳＤＮ、ＣＡＴＶアクセス、１．５Ｍｂｐｓ  ＡＤＳＬアクセス、８Ｍｂｐｓ  ＡＤＳＬアクセス、２Ｇ携帯電話アクセス、３Ｇ携帯電話アクセス、ＰＨＳアクセス、Ｗｉｒｅｌｅｓｓ  ＬＡＮアクセス等の様々なインタフェースから端末６０にとって適切なインタフェースを選択する。必要ならば、取得するデータサイズを受信条件として付加することもできる。
【００２９】
キーワード及び受信条件が入力されると、これらの情報はタイムテーブルに登録され、キーワード、受信条件および入力日時からなる検索キー情報が生成される（ステップＳ４０３）。“釣り・ｘｘ市・ＷｉｒｅｌｅｓｓＬＡＮアクセス・ｙｙｙｙ年ｍｍ月ｄｄ日”は検索キー情報の一例である。キーワードの入力日時“ｙｙｙｙ年ｍｍ月ｄｄ日”は、後述するように、検索期限情報として用いられる。
【００３０】
また、端末６０は、経度および緯度、あるいは、端末６０が現在接続しているアクセスポイント番号からなる位置情報を生成する（ステップＳ４０４）。位置情報は、電源をオンしたとき、端末６０の位置がある距離以上に変化したとき、あるいは、移動によりアクセスポイントが変わったときに生成される。
【００３１】
さらに、端末６０は、現在使用中のインタフェース種別および現在使用可能なアプリケーション情報を示すプレゼンス情報を生成する（ステップＳ４０５）。インタフェース種別としては、たとえば、アナログモデム、ＩＳＤＮ、ＣＡＴＶアクセス、１．５Ｍｂｐｓ  ＡＤＳＬアクセス、８Ｍｂｐｓ  ＡＤＳＬアクセス、２Ｇ携帯電話アクセス、３Ｇ携帯電話アクセス、ＰＨＳアクセス、Ｗｉｒｅｌｅｓｓ  ＬＡＮアクセス等の様々なインタフェースがある。また、アプリケーション情報は、各アプリケーションを実行するときのファイル拡張子、たとえば”．ｔｘｔ”、”．ｄｏｃ”、”．ｍｐｇ”、”．ｒｍ”など、を使用することができる。プレゼンス情報は、端末６０の電源をオンしたとき、オフするとき、使用するインタフェース種別が変更になったとき、あるいは、アプリケーション情報が変更になったときに必ず生成される。
【００３２】
生成された検索キー情報は端末６０の識別子とともにエージェント１０へ送信され（ステップＳ４０６）、位置情報は端末６０の識別子とともに位置管理サーバ３０へ送信され（ステップＳ４０７）、プレゼンス情報は端末６０の識別子とともにプレゼンスサーバ４０へ送信される（ステップＳ４０８）。
【００３３】
これらの情報を送信すると、端末６０は、エージェント１０から情報が送られてくるのを待機する（Ｓ４０９）。エージェント１０から情報を受信すると、それをディスプレイに表示したりスピーカで再生してユーザの閲覧に供する（ステップＳ４１０）。
【００３４】
エージェント機能
図５は本実施形態による情報配信システムにおけるエージェントの制御動作を示すフローチャートである。エージェント１０が端末６０から検索キー情報を受け取ると（ステップＳ５０１のＹＥＳ）、エージェント制御部１０３は受信した検索キー情報を検索キー情報メモリ１０４に登録する（ステップＳ５０２）。続いて、検索キー情報のうち情報検索のための検索キーを読み出して情報配信サーバ２０へ送信し検索要求を行う（ステップＳ５０３）。
【００３５】
エージェント１０から検索要求を受け取ると、情報配信サーバ２０はその検索キーを用いてデータベースを検索し、検索キーと一致する情報ファイルをエージェント１０へ返す。もし検索キーと一致する情報ファイルが見つからない場合には、“該当データなし”のメッセージをエージェント１０へ返す。
【００３６】
情報配信サーバ２０から検索結果を受け取ると（ステップＳ５０４のＹＥＳ）、エージェント制御部１０３は受信した検索結果が“該当データなし”であるか否かを判定する（ステップＳ５０５）。
【００３７】
もし“該当データなし”であれば（ステップＳ５０５のＹＥＳ）、エージェント制御部１０３は当該検索結果に対応する検索キー情報の入力日時“ｙｙｙｙ年ｍｍ月ｄｄ日”を読み出し、所定の時間が経過しているか否かを判定する（ステップＳ５０６）。所定の時間が経過してなければ（期限内）、同じ検索キーを用いて情報配信サーバ２０に対して検索要求を行う（ステップＳ５０３）。“該当データなし”であれば、ステップＳ５０３〜Ｓ５０５を前記所定時間が経過するまで繰り返す。データがない場合に際限なく検索要求を行う事態を回避するためである。なお、所定時間の経過判定に加えて、検索要求（ステップＳ５０３）が所定回数を越えないようにカウント判定を行ってもよい。多数回の検索要求はネットワークの負荷を増大させるからである。ステップＳ５０６において期限が経過した場合には、“期限切れ”のメッセージを配信情報として端末６０へ送信する（ステップＳ５１１）。
【００３８】
該当データがあれば（ステップＳ５０５のＮＯ）、エージェント制御部１０３は対応する検索キー情報の受信条件を読み出し（ステップＳ５０７）、さらに、位置管理サーバ３０に対して当該端末６０の位置情報を要求して取得し、プレゼンスサーバ４０に対して当該端末６０のプレゼンス情報を要求して取得する（ステップＳ５０８）。
【００３９】
続いて、エージェント制御部１０３は、端末６０の位置情報およびプレゼンス情報と端末６０の受信条件とを用いて、配信情報メモリ１０５に格納された端末６０の配信情報に対してフィルタリングを実行する（ステップＳ５０９）。たとえば、端末６０の位置情報が“ｘｘ市”、プレゼンス情報が“２Ｇ携帯電話アクセス”をそれぞれ示す場合には、配信情報メモリ１０５に格納された配信情報のうち、“ｘｘ市”に関連した情報で“２Ｇ携帯電話アクセス”で快適に受信可能なデータのみを選択し配信情報として出力する。さらに、端末６０の受信条件にデータサイズが登録されていれば、当該データサイズ以下の情報だけが選択される。
【００４０】
なお、このデータサイズ選択機能は、情報配信サーバ２０に設けられてもよい。この場合には、エージェント１０は、データサイズを示す受信条件を検索要求（ステップＳ５０３）する際に情報配信サーバ２０へ送信する。情報配信サーバ２０は検索キーに従って検索し、指定されたデータサイズ以下の情報のみをエージェント１０へ返す。
【００４１】
フィルタリングの結果、現時点で配信可能な情報が存在すれば（ステップＳ５１０のＹＥＳ）、当該情報を端末６０へ配信する（ステップＳ５１１）。配信可能な情報が存在しない場合には（ステップＳ５１０のＮＯ）、エージェント制御部１０３は対応する検索キー情報の入力日時“ｙｙｙｙ年ｍｍ月ｄｄ日”を読み出し、所定の時間が経過しているか否かを判定する（ステップＳ５１２）。所定の時間が経過してなければ（期限内）、ステップＳ５０８〜Ｓ５１０を前記所定時間が経過するまで繰り返す。データがない場合に際限なく情報要求／取得ステップ（Ｓ５０８）を行う事態を回避するためである。なお、所定時間の経過判定に加えて、情報要求／取得ステップ（Ｓ５０８）が所定回数を越えないようにカウント判定を行ってもよい。多数回の情報要求／取得はネットワークの負荷を増大させるからである。ステップ５１２において期限が経過した場合には、“期限切れ”のメッセージを配信情報として端末６０へ送信する（ステップＳ５１１）。
【００４２】
端末６０への情報配信（ステップＳ５１１）は、受信条件で指定されたアクセス回線を用いて行われる。受信条件にアクセス回線が指定されていない場合には、プレゼンス情報のアクセス回線を用いて情報を配信する。また、“期限切れ”や“配信データなし”の場合にも、その時点で端末６０が使用しているアクセス回線を用いて配信する。
【００４３】
すでに述べたように、エージェント１０は、ネットワークに接続したコンピュータであってもよいし、上記サーバあるいは別のサーバ上にソフトウエアによりインプリメントされたものであってもよい。
【００４４】
図６（Ａ）は本実施形態の第２例を示すシステム構成図であり、（Ｂ）は本実施形態の第３例を示すシステム構成図である。図６（Ａ）に示すように、エージェント１０は、ネットワークに接続したコンピュータ上で図５に示すようなプログラムを実行することにより実現することができる。
【００４５】
あるいは、図６（Ｂ）に示すように、ネットワークに接続したサーバ７０上で、たとえば、位置管理サーバプログラム、プレゼンスサーバプログラム、および、エージェントプログラムを実行することにより、上述した位置管理サーバ３０、プレゼンスサーバ４０およびエージェント１０を実現することも可能である。
【００４６】
【発明の効果】
以上詳細に説明したように、本発明によれば、ユーザの希望と端末の受信条件とをともに満たす情報のみが端末へ配信されるために、ユーザは望む情報を快適に取得することができる。特に、ユーザが環境に応じて端末を使い分ける場合であっても、端末の能力および利用可能なアプリケーションにマッチした情報配信サービスを受けることができる。
【００４７】
また、情報配信サーバからエージェントに情報が送信された後で、情報のフィルタリングが行われ端末へ配信されるために、その間に端末の移動あるいは変更があって回線速度等の受信環境が変化しても、サーバやネットワークに負荷がかからない。したがってサービス品質の劣化のない適切な情報配信を行うことができる。
【００４８】
さらに、パケット単位の課金が行われるサービスの場合、ユーザは無駄なデータに対する料金を支払うことを回避できる。
【図面の簡単な説明】
【図１】本発明の一実施形態による情報配信システムの概略的構成図である。
【図２】本発明によるエージェントの一実施形態を示す機能ブロック図である。
【図３】本実施形態による情報配信システムの全体的動作を示すシーケンス図である。
【図４】本実施形態による情報配信システムにおけるユーザ端末の制御動作を示すフローチャートである。
【図５】本実施形態による情報配信システムにおけるエージェントの制御動作を示すフローチャートである。
【図６】（Ａ）は本実施形態の第２例を示すシステム構成図であり、（Ｂ）は本実施形態の第３例を示すシステム構成図である。
【符号の説明】
１０  エージェント
２０  情報配信サーバ
３０  位置管理サーバ
４０  プレゼンスサーバ
５０  アクセスポイント
６０  端末
１０１  送受信器
１０２  通信制御部
１０３  エージェント制御部
１０４  検索キー情報メモリ
１０５  配信情報メモリ
１０６  フィルタ
【図１】
2004227113.tif 000003
【図２】
2004227113.tif 000004
【図３】
2004227113.tif 000005
【図４】
2004227113.tif 000006
【図５】
2004227113.tif 000007
【図６】
2004227113.tif 000008